(57)【要約】  【課題】  電子商取引に関するウェブサイト（ＥＣサイト）についての重要業績評価指標（ＫＰＩ）を表示する際のユーザビリティを向上させることのできるサーバ装置を提供する。  【解決手段】  サーバ装置４は、ユーザ端末２で表示されたログイン画面においてユーザが入力したログイン情報を含むログイン要求を、ユーザ端末２から受信するログイン要求受信部１０と、ログイン要求に含まれるログイン情報に基づいて、ユーザのログインを許可するか否かを決定するログイン処理部１１と、ユーザのログインが許可されると、ユーザ端末２でログイン画面の次に表示されるトップ画面において表示されるレポート情報を、ユーザ端末２に送信するレポート情報送信部１７を備える。レポート情報には、ユーザが運営する電子商取引に関するウェブサイトについての業績評価指標を示す式：売上＝訪問数×購入率×客単価の情報が含まれる。【選択図】  図４
2017215651.tif 000002
【特許請求の範囲】
【請求項１】
ユーザが運営する電子商取引に関するウェブサイトについての業績評価指標を表示するためのサーバ装置であって、
前記サーバ装置は、
ユーザ端末で表示されたログイン画面において前記ユーザが入力したログイン情報を含むログイン要求を、前記ユーザ端末から受信するログイン要求受信部と、
前記ログイン要求に含まれる前記ログイン情報に基づいて、前記ユーザのログインを許可するか否かを決定するログイン処理部と、
前記ユーザのログインが許可されると、前記ユーザ端末で前記ログイン画面の次に表示されるトップ画面において表示されるレポート情報を、前記ユーザ端末に送信するレポート情報送信部と、
を備え、
前記レポート情報には、前記ユーザが運営する電子商取引に関するウェブサイトについての業績評価指標を示す式：
売上＝訪問数×購入率×客単価
の情報が含まれることを特徴とするサーバ装置。
【請求項２】
前記サーバ装置は、
前記ウェブサイトを解析する機能を有する外部システムと通信して、前記外部システムから、前記ユーザが運営する電子商取引に関するウェブサイトの売上、訪問数、購入率、客単価の解析値の情報を取得する情報取得部を備える、請求項１に記載のサーバ装置。
【請求項３】
前記ユーザが運営する電子商取引に関するウェブサイトの売上、訪問数、購入率、客単価の目標値を設定する目標値設定部と、
前記ユーザが運営する電子商取引に関するウェブサイトの売上、訪問数、購入率、客単価について、前記外部システムから取得した前記解析値と前記目標値との比較値を算出する比較値算出部と、
を備え、
前記レポート情報には、前記比較値算出部で算出した前記比較値の情報が含まれる、請求項２に記載のサーバ装置。
【請求項４】
前記情報取得部は、前記ユーザが運営する電子商取引に関するウェブサイトの売上、訪問数、購入率、客単価の現在の解析値と以前の解析値の情報を取得し、
前記比較値算出部は、前記ユーザが運営する電子商取引に関するウェブサイトの売上、訪問数、購入率、客単価について、前記外部システムから取得した前記現在の解析値と前記以前の解析値とを比較して第２の比較値を算出し、
前記レポート情報には、前記比較値算出部で算出した前記第２の比較値の情報が含まれる、請求項３に記載のサーバ装置。
【請求項５】
ユーザが運営する電子商取引に関するウェブサイトについての業績評価指標を表示するためのシステムであって、
前記システムは、ユーザが所持するユーザ端末と、前記ユーザ端末と通信可能なサーバ装置とを備え、
前記サーバ装置は、
前記ユーザ端末で表示されたログイン画面において前記ユーザが入力したログイン情報を含むログイン要求を、前記ユーザ端末から受信するログイン要求受信部と、
前記ログイン要求に含まれる前記ログイン情報に基づいて、前記ユーザのログインを許可するか否かを決定するログイン処理部と、
前記ユーザのログインが許可されると、前記ユーザ端末で前記ログイン画面の次に表示されるトップ画面において表示されるレポート情報を、前記ユーザ端末に送信するレポート情報送信部と、
を備え、
前記レポート情報には、前記ユーザが運営する電子商取引に関するウェブサイトについての電子商取引に関する業績評価指標を示す式：
売上＝訪問数×購入率×客単価
の情報が含まれることを特徴とするシステム。
【発明の詳細な説明】
【技術分野】
【０００１】
本発明は、ユーザが運営する電子商取引に関するウェブサイト（ＥＣサイト）についての重要業績評価指標（ＫＰＩ）を表示するためのサーバ装置およびシステムに関する。
【背景技術】
【０００２】
近年、様々な電子商取引サイト（ＥＣサイト）が利用されているが、ＥＣサイトは、そのＥＣサイトへの訪問者数が多いだけでは目的を達成することができない、すなわち、実際にそのＥＣサイトで商品が売れなければ目的を達することができない、という特性を有している。そこで従来、ＥＣサイトへのアクセス数・訪問回数・経路解析などを解析して、訪問者の閲覧行動を分析する手法が提案されている（例えば特許文献１参照）。そして、分析結果の情報は、ユーザ（ＥＣサイトの運営者）に送られ、ＥＣサイトの修正や改善などに用いられていた。
【０００３】
また従来、ウェブサイトの分析結果の情報（ウェブサイトの訪問データ）をレポートとして表示する方法が提案されている（例えば、特許文献２参照）。従来の方法では、種々のレポートを送ることができるとともに、ユーザが選択した基準によって分析結果全体をフィルタリングできる。ユーザは所望の基準をクリックすることにより、フィルタリングする基準の選択を行う。
【先行技術文献】
【特許文献】
【０００４】
【特許文献１】特開２００６−３２３６２９号公報
【特許文献２】特表２００８−５４６０９３号公報
【発明の概要】
【発明が解決しようとする課題】
【０００５】
しかしながら、従来の方法では、ユーザが自己が運営するＥＣサイトについて重要業績評価指標（売上、訪問数、購入率、客単価などのＫＰＩ）の情報を得ようと思うと、それらのＫＰＩをレポートに表示するためにフィルタリングの基準を選択する必要があり、そのフィルタリングの基準の選択を行うための特別な操作（クリック）を何度も行う必要があった。したがって、電子商取引に関するウェブサイト（ＥＣサイト）についての重要業績評価指標（ＫＰＩ）を表示する際のユーザビリティが低いという問題があった。
【０００６】
本発明は、上記の課題に鑑みてなされたもので、電子商取引に関するウェブサイト（ＥＣサイト）についての重要業績評価指標（ＫＰＩ）を表示する際のユーザビリティが高いサーバ装置を提供することを目的とする。
【課題を解決するための手段】
【０００７】
本発明のサーバ装置は、ユーザが運営する電子商取引に関するウェブサイトについての業績評価指標を表示するためのサーバ装置あって、前記サーバ装置は、ユーザ端末で表示されたログイン画面において前記ユーザが入力したログイン情報を含むログイン要求を、前記ユーザ端末から受信するログイン要求受信部と、前記ログイン要求に含まれる前記ログイン情報に基づいて、前記ユーザのログインを許可するか否かを決定するログイン処理部と、前記ユーザのログインが許可されると、前記ユーザ端末で前記ログイン画面の次に表示されるトップ画面において表示されるレポート情報を、前記ユーザ端末に送信するレポート情報送信部と、を備え、前記レポート情報には、前記ユーザが運営する電子商取引に関するウェブサイトについての業績評価指標を示す式：売上＝訪問数×購入率×客単価の情報が含まれている。
【０００８】
この構成によれば、ユーザがユーザ端末のログイン画面でログイン情報を入力すると、サーバ装置でそのユーザのログインを許可するか否かが決定される。サーバ装置でユーザのログインが許可されると、ユーザ端末のトップ画面（ログイン画面の次に表示される画面）にレポート情報が表示される。そのレポート情報には、そのユーザが運営する電子商取引に関するウェブサイト（ＥＣサイト）についての業績評価指標を示す式（売上＝訪問数×購入率×客単価）の情報が含まれている。したがって、ユーザは、ユーザ端末でログイン情報の入力後に特別な操作を必要することなく、自己が運営するＥＣサイトについての重要業績評価指標（ＫＰＩ）として、売上、訪問数、購入率、客単価の情報を得ることができる。
【０００９】
また、本発明のサーバ装置では、前記サーバ装置は、前記ウェブサイトを解析する機能を有する外部システムと通信して、前記外部システムから、前記ユーザが運営する電子商取引に関するウェブサイトの売上、訪問数、購入率、客単価の解析値の情報を取得する情報取得部を備えてもよい。
【００１０】
この構成によれば、業績評価指標を解析する機能を有する外部システムを利用して、ユーザが運営するＥＣサイトについての重要業績評価指標（ＫＰＩ）である売上、訪問数、購入率、客単価の解析値の情報を得ることができる。
【００１１】
また、本発明のサーバ装置では、前記ユーザが運営する電子商取引に関するウェブサイトの売上、訪問数、購入率、客単価の目標値を設定する目標値設定部と、前記ユーザが運営する電子商取引に関するウェブサイトの売上、訪問数、購入率、客単価について、前記外部システムから取得した前記解析値と前記目標値との比較値を算出する比較値算出部と、を備え、前記レポート情報には、前記比較値算出部で算出した前記比較値の情報が含まれてもよい。
【００１２】
この構成によれば、ユーザは、自己が運営するＥＣサイトについての重要業績評価指標（ＫＰＩ）である売上、訪問数、購入率、客単価の目標値を設定することができ、その目標値と解析値（外部システムから取得した解析値）との比較値の情報をトップ画面（ログイン画面の次に表示される画面）で得ることができる。比較値は、例えば、目標値との差（解析値−目標値）または比（解析値／目標値）などである。なお、比は百分率で算出されてもよい。
【００１３】
また、本発明のサーバ装置では、前記情報取得部は、前記ユーザが運営する電子商取引に関するウェブサイトの売上、訪問数、購入率、客単価の現在の解析値と以前の解析値の情報を取得し、前記比較値算出部は、前記ユーザが運営する電子商取引に関するウェブサイトの売上、訪問数、購入率、客単価について、前記外部システムから取得した前記現在の解析値と前記以前の解析値とを比較して第２の比較値を算出し、前記レポート情報には、前記比較値算出部で算出した前記第２の比較値の情報が含まれてもよい。
【００１４】
この構成によれば、ユーザは、自己が運営するＥＣサイトについての重要な業績評価指標（ＫＰＩ）である売上、訪問数、購入率、客単価の現在の解析値と以前の解析値との比較値（第２の比較値）の情報をトップ画面（ログイン画面の次に表示される画面）で得ることができる。第２の比較値は、例えば、前月の解析値との差（今月の解析値−前月の解析値）または比（今月の解析値／前月の解析値）、あるいは、前年同月の解析値との差（今月の解析値−前年同月の解析値）または比（今月の解析値／前年同月の解析値）などである。なお、比は百分率で算出されてもよい。
【００１５】
本発明のシステムは、ユーザが運営する電子商取引に関するウェブサイト（ＥＣサイト）についての業績評価指標（ＫＰＩ）を表示するためのシステムであって、前記システムは、ユーザが所持するユーザ端末と、前記ユーザ端末と通信可能なサーバ装置とを備え、前記サーバ装置は、前記ユーザ端末で表示されたログイン画面において前記ユーザが入力したログイン情報を含むログイン要求を、前記ユーザ端末から受信するログイン要求受信部と、前記ログイン要求に含まれる前記ログイン情報に基づいて、前記ユーザのログインを許可するか否かを決定するログイン処理部と、前記ユーザのログインが許可されると、前記ユーザ端末で前記ログイン画面の次に表示されるトップ画面において表示されるレポート情報を、前記ユーザ端末に送信するレポート情報送信部と、を備え、前記レポート情報には、前記ユーザが運営する電子商取引に関するウェブサイトについての電子商取引に関する業績評価指標を示す式：売上＝訪問数×購入率×客単価の情報が含まれている。
【００１６】
このシステムによっても、上記のサーバ装置と同様に、ユーザがユーザ端末のログイン画面でログイン情報を入力すると、サーバ装置でそのユーザのログインを許可するか否かが決定される。サーバ装置でユーザのログインが許可されると、ユーザ端末のトップ画面（ログイン画面の次に表示される画面）にレポート情報が表示される。そのレポート情報には、そのユーザが運営する電子商取引に関するウェブサイト（ＥＣサイト）についての業績評価指標を示す式（売上＝訪問数×購入率×客単価）の情報が含まれている。したがって、ユーザは、ユーザ端末でログイン情報の入力後に特別な操作を必要することなく、自己が運営するＥＣサイトについての重要業績評価指標（ＫＰＩ）として、売上、訪問数、購入率、客単価の情報を得ることができる。
【発明の効果】
【００１７】
本発明によれば、電子商取引に関するウェブサイト（ＥＣサイト）についての重要業績評価指標（ＫＰＩ）を表示する際のユーザビリティを向上させることができる。
【図面の簡単な説明】
【００１８】
【図１】本発明の実施の形態におけるシステムの構成を示す説明図である。
【図２】本発明の実施の形態におけるサーバ装置の構成を示すブロック図である。
【図３】本発明の実施の形態におけるログイン画面の一例を示す図である。
【図４】本発明の実施の形態におけるトップ画面の一例を示す図である。
【図５】本発明の実施の形態におけるシステムの動作を示すシーケンス図である。
【発明を実施するための形態】
【００１９】
以下、本発明の実施の形態のサーバ装置について、図面を用いて説明する。本実施の形態では、ＥＣサイトのＫＰＩ分析システムに用いられるサーバ装置の場合を例示する。
【００２０】
本発明の実施の形態のサーバ装置の構成を、図面を参照して説明する。図１は、本実施の形態のシステム（ＥＣサイトのＫＰＩ分析システム）の構成を示す図であり、図２は、本実施の形態のサーバ装置の構成を示すブロック図である。
【００２１】
まず、図１を参照して、システム全体の構成について説明する。図１に示すように、本実施の形態のシステム１は、ユーザが所持するユーザ端末２と、ユーザ端末２とネットワーク３を介して通信可能なサーバ装置４を備えている。ユーザは、電子商取引サイト（ＥＣサイト）の運営者である。ユーザ端末２は、例えばスマートフォンやパーソナルコンピュータなどの端末装置である。サーバ装置４は、ネットワーク３を介して外部システム５と通信する機能を備えている。外部システム５は、ウェブサイトの解析をする機能を備えている。この外部システム５は、ＥＣサイトの重要業務評価指数（ＫＰＩ）の解析することができる。ＥＣサイトの重要業務評価指数（ＫＰＩ）には、売上、訪問数、購入率、客単価が含まれる。
【００２２】
つぎに、図２を参照して、サーバ装置４の構成について説明する。このサーバ装置４は、ＥＣサイトの重要業務評価指数（ＫＰＩ）をユーザ端末２に表示させるための種々の機能を備えている。具体的には、図２に示すように、サーバ装置４は、ログイン要求受信部１０、ログイン処理部１１、外部システム通信部１２、情報取得部１３、目標値設定部１４、比較値算出部１５、レポート情報作成部１６、レポート情報送信部１７を備えている。
【００２３】
ログイン要求受信部は１０、ユーザ端末２からログイン要求を受信する機能を備えている。ログイン要求には、ユーザ端末２で表示されたログイン画面（図３参照）においてユーザが入力したログイン情報が含まれている。ログイン情報には、ユーザを識別するための情報（ユーザＩＤ）やユーザを認証するための情報（パスワード）などが含まれる。
【００２４】
ログイン処理部１１は、ログイン要求に含まれるログイン情報に基づいて、ユーザのログインを許可するか否かを決定する機能を備えている。ログイン処理部１１は、例えば、ユーザＩＤとパスワードの組み合わせが事前に登録されたものと一致した場合には、そのユーザのログインを許可すると決定する。
【００２５】
外部システム通信部１２は、ネットワーク３を介して外部システム５と通信する機能を備えている。この外部システム通信部１２は、ＡＰＩ機能も備えており、例えば、外部システム５がユーザ認証を要求する場合には、ＡＰＩ認証を行って外部システム５との通信を確立する。ＡＰＩ認証に必要な情報（例えば、クライアントＩＤや鍵ファイルなど）は、事前に取得したものがサーバ装置４に記憶されている。
【００２６】
情報取得部１３は、外部システム５から、ユーザが運営するＥＣサイトの売上、訪問数、購入率、客単価の解析値の情報を取得する機能を備えている。例えば、情報取得部１３は、外部システム５にユーザのＥＣサイトの解析に必要な情報（例えば、ＥＣサイトのＵＲＬや、分析すべきＫＰＩ（売上、訪問数、購入率、客単価）など）を含む解析要求を外部システム５に送信し、外部システム５からその解析結果（売上、訪問数、購入率、客単価の解析値）を受信する。
【００２７】
目標値設定部１４は、ユーザが運営するＥＣサイトの売上、訪問数、購入率、客単価の目標値を設定する機能を備えている。売上、訪問数、購入率、客単価の目標値は、例えば、ユーザ端末２からのユーザ入力に基づいて設定される。
【００２８】
比較値算出部１５は、ユーザが運営するＥＣサイトの売上、訪問数、購入率、客単価について、解析値（外部システム５から取得した解析値）と目標値（目標値設定部１４により設定された目標値）との比較値（「目標比」ともいう）を算出する機能を備えている。この比較値（目標比）は、例えば、目標値との差（解析値−目標値）または比（解析値／目標値）などである。なお、比の値は百分率で算出されてもよい。
【００２９】
また、情報取得部１３は、ユーザが運営するＥＣサイトの売上、訪問数、購入率、客単価の現在の解析値と以前の解析値（例えば、前月の解析値や前年同月の解析値）の情報を、外部システム５から取得する機能を備えている。
【００３０】
さらに、比較値算出部１５は、ユーザが運営するＥＣサイトの売上、訪問数、購入率、客単価について、外部システム５から取得した現在の解析値と以前の解析値とを比較して第２の比較値（前月との比較値を「前月比」、前年同月との比較値を「前年比」ともいう）を算出する機能を備えている。第２の比較値（前月比）は、例えば、前月の解析値との差（今月の解析値−前月の解析値）または比（今月の解析値／前月の解析値）である。また、第２の比較値（前年比）は、例えば、前年同月の解析値との差（今月の解析値−前年同月の解析値）または比（今月の解析値／前年同月の解析値）などである。なお、比の値は百分率で算出されてもよい。
【００３１】
レポート情報作成部１６は、情報取得部１３が外部システム５から取得した情報（ユーザが運営するＥＣサイトの売上、訪問数、購入率、客単価の解析値の情報）に基づいて、ユーザに提供するレポート情報を作成する機能を備えている。このレポート情報には、ユーザが運営するＥＣサイトについての業績評価指標を示す式「売上＝訪問数×購入率×客単価」の情報が含まれている（図４参照）。
【００３２】
また、このレポート情報作成部１６は、比較値算出部１５が算出した比較値（目標比）や第２の比較値（前月比、前年比）の情報に基づいて、ユーザに提供するレポート情報を作成する機能も備えている。したがって、レポート情報には、比較値算出部１５が算出した比較値（目標比）や第２の比較値（前月比、前年比）の情報も含まれている（図４参照）。
【００３３】
さらに、レポート情報作成部１６は、ユーザが運営するＥＣサイトへの顧客の流入経路の情報を、レポート情報に含めてもよい（図４参照）。また、レポート情報作成部１６は、ユーザが運営するＥＣサイトの訪問数、回遊数、カート到達率、購入回数などの情報や、回遊率、直帰率、カート到達率、購入率などの情報を、レポート情報に含めることもできる（図４参照）。
【００３４】
レポート情報送信部１７は、レポート情報作成により作成されたレポート情報をユーザ端末２へ送信する機能を備えている。ユーザ端末２に送信されたレポート情報は、ユーザ端末２でログイン画面の次に表示される画面（トップ画面）に表示される（図４参照）。
【００３５】
以上のように構成されたサーバ装置４について、図５のシーケンス図を参照してその動作を説明する。
【００３６】
図５に示すように、本実施の形態のサーバ装置４を用いてユーザのＥＣサイトのＫＰＩをユーザ端末２に表示させる場合には、まず、ユーザは、ユーザ端末２で表示されたログイン画面において（Ｓ１）、ユーザＩＤやパスワードなどのログイン情報を入力する（Ｓ２）。そうすると、入力したログイン情報を含んだログイン要求が、ユーザ端末２からサーバ装置４へ送信され（Ｓ３）、サーバ装置４でそのユーザのログインを許可するか否かを決定するログイン処理が行われる（Ｓ４）。
【００３７】
その結果、ユーザのログインが許可された場合には、サーバ装置４から外部システム５へ解析要求が送信される（Ｓ５）。この解析要求には、このユーザのＥＣサイトの解析に必要な情報（例えば、ＥＣサイトのＵＲＬや、分析すべきＫＰＩ（売上、訪問数、購入率、客単価）などの情報）が含まれている。
【００３８】
外部システム５は、サーバ装置４から解析要求を受信すると、解析要求に含まれる情報に基づいて、そのユーザのＥＣサイトの解析処理を実行し、売上、訪問数、購入率、客単価の解析値を算出する（Ｓ６）。そして、外部システム５は、その解析結果（売上、訪問数、購入率、客単価の解析値）をサーバ装置４へ返信する（Ｓ７）。
【００３９】
サーバ装置４は、外部システム５から解析結果を受信すると、その解析結果（ユーザが運営するＥＣサイトの売上、訪問数、購入率、客単価の解析値）に基づいて、ユーザに提供するレポート情報を作成する（Ｓ８）。このレポート情報には、比較値算出部１５が算出した比較値（目標比）や第２の比較値（前月比、前年比）の情報が含まれてもよく、また、ユーザが運営するＥＣサイトの訪問数、回遊数、カート到達率、購入回数などの情報や、回遊率、直帰率、カート到達率、購入率などの情報が含まれてもよい。
【００４０】
サーバ装置４は、レポート情報の作成が完了すると、作成したレポート情報をユーザ端末２へ送信する（Ｓ９）。ユーザ端末２に送信されたレポート情報は、ユーザ端末２でトップ画面（ログイン画面の次に表示される画面）に表示される（Ｓ１０）。
【００４１】
このような本実施の形態のサーバ装置４によれば、電子商取引に関するウェブサイト（ＥＣサイト）についての重要業績評価指標（ＫＰＩ）を表示する際のユーザビリティを向上させることができる。
【００４２】
すなわち、本実施の形態では、ユーザがユーザ端末２のログイン画面でログイン情報を入力すると、サーバ装置４でそのユーザのログインを許可するか否かが決定される。サーバ装置４でユーザのログインが許可されると、ユーザ端末２のトップ画面（ログイン画面の次に表示される画面）にレポート情報が表示される。そのレポート情報には、そのユーザが運営する電子商取引に関するウェブサイト（ＥＣサイト）についての業績評価指標を示す式（売上＝訪問数×購入率×客単価）の情報が含まれている。したがって、ユーザは、ユーザ端末２でログイン情報の入力後に特別な操作を必要することなく、自己が運営するＥＣサイトについての重要業績評価指標（ＫＰＩ）として、売上、訪問数、購入率、客単価）の情報を得ることができる。
【００４３】
また、本実施の形態では、業績評価指標を解析する機能を有する外部システム５を利用して、ユーザが運営するＥＣサイトについての重要業績評価指標（ＫＰＩ）である売上、訪問数、購入率、客単価の解析値の情報を得ることができる。
【００４４】
また、本実施の形態では、ユーザは、自己が運営するＥＣサイトについての重要業績評価指標（ＫＰＩ）である売上、訪問数、購入率、客単価の目標値を設定することができ、その目標値と解析値（外部システム５から取得した解析値）との比較値の情報をトップ画面（ログイン画面の次に表示される画面）で得ることができる。比較値は、例えば、目標値との差（解析値−目標値）または比（解析値／目標値）などである。なお、比は百分率で算出されてもよい。
【００４５】
また、本実施の形態では、ユーザは、自己が運営するＥＣサイトについての重要な業績評価指標（ＫＰＩ）である売上、訪問数、購入率、客単価の現在の解析値と以前の解析値との比較値（第２の比較値）の情報をトップ画面（ログイン画面の次に表示される画面）で得ることができる。第２の比較値は、例えば、前月の解析値との差（今月の解析値−前月の解析値）または比（今月の解析値／前月の解析値）、あるいは、前年同月の解析値との差（今月の解析値−前年同月の解析値）または比（今月の解析値／前年同月の解析値）などである。なお、比は百分率で算出されてもよい。
【００４６】
以上、本発明の実施の形態を例示により説明したが、本発明の範囲はこれらに限定されるものではなく、請求項に記載された範囲内において目的に応じて変更・変形することが可能である。
【産業上の利用可能性】
【００４７】
以上のように、本発明にかかるサーバ装置は、電子商取引に関するウェブサイト（ＥＣサイト）についての重要業績評価指標（ＫＰＩ）を表示する際のユーザビリティを向上させることができるという効果を有し、ＥＣサイトの分析等に用いられ、有用である。
【符号の説明】
【００４８】
１  システム
２  ユーザ端末
３  ネットワーク
４  サーバ装置
５  外部システム
１０  ログイン要求受信部
１１  ログイン処理部
１２  外部システム通信部
１３  情報取得部
１４  目標値設定部
１５  比較値算出部
１６  レポート情報作成部
１７  レポート情報送信部
【図１】
2017215651.tif 000003
【図２】
2017215651.tif 000004
【図３】
2017215651.tif 000005
【図４】
2017215651.tif 000006
【図５】
2017215651.tif 000007